【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】
電鋳により細線材の周りに電着物または囲繞物を形成し、電着物または囲繞物から細線材を除去して電鋳管を製造する方法であって、
細線材は、一方または両方から引っ張って断面積が小さくなるように変形させて、細線材と電着物または囲繞物の間に隙間を形成して、細線材を掴んで引っ張るか、吸引するか、物理的に押し遣るか、気体または液体を噴出して押し遣るかのいずれかの方法を用いて除去することを特徴とする、
電鋳管の製造方法。
【請求項２】
細線材に形成される端部側の電着物または囲繞物の量を多くすることを特徴とする、
請求項１記載の電鋳管の製造方法。
【請求項３】
細線材を外方に引っ張って伸ばしたときの横ひずみの変形量が断面積の５％以上であることを特徴とする、
請求項１記載の電鋳管の製造方法。
【請求項４】
外面に導電層が設けられた細線材を用い、導電層が電鋳管の内面に残るように細線材を除去することを特徴とする、
請求項１，２又は３記載の電鋳管の製造方法。
【請求項５】
外面側に材質の異なる導電層が少なくとも二層以上形成してある細線材を用い、電着物または囲繞物と細線材の外側の導電層とを密着させ、内側の導電層が電鋳管の内面に残るように細線材を除去することを特徴とする、
請求項１，２又は３記載の電鋳管の製造方法。
【請求項６】
細線材を電着物または囲繞物から除去して形成される中空部の内形状が、断面円形状または断面多角形状を有することを特徴とする、
請求項１，２，３，４又は５記載の電鋳管の製造方法。
【請求項７】
細線材を除去して形成される中空部を複数個備えることを特徴とする、
請求項１，２，３，４，５又は６記載の電鋳管の製造方法。
【請求項８】
中空部の間に、絶縁体の外面に導電層を設けて形成してある隔壁体を介在させて、各中空部の周りを形成する部分ごとに独立して電気伝導ができるようにすることを特徴とする、
請求項７記載の電鋳管の製造方法。
【請求項９】
電鋳により細線材の周りに電着物または囲繞物を形成し、電着物または囲繞物から細線材を除去して製造される電鋳管であって、
細線材を電着物または囲繞物から除去して形成される中空部の内形状が断面円形状を有するものは、中空部の内径が１０μｍ以上８５μｍ以下であり、中空部の内形状が断面多角形状を有するものは、中空部の内接円の直径が１０μｍ以上８５μｍ以下であり、
細線材を除去して形成される中空部が複数個あり、
中空部の間に、絶縁体の外面に導電層を設けて形成してある隔壁体を介在させて、各中空部の周りを形成する部分ごとに独立して電気伝導ができるように構成してあることを特徴とする、
電鋳管。
【請求項１０】
肉厚が５μｍ以上５０μｍ以下であることを特徴とする、
請求項９記載の電鋳管。
【請求項１１】
内面に電着物または囲繞物とは異なる材質の導電層が設けてあることを特徴とする、
請求項９又は１０記載の電鋳管。
【請求項１２】
内面に電着物または囲繞物とは異なる材質の導電層が設けてあり、更に、電着物または囲繞物と上記導電層との間には、当該導電層とは異なる材質の導電層が設けてあることを特徴とする、
請求項９又は１０記載の電鋳管。
【請求項１３】
隔壁体の外面に設けてある導電層が、中空部の一部を形成するように構成してあることを特徴とする、
請求項９，１０，１１又は１２記載の電鋳管。
【請求項１４】
隔壁体は、隣り合う中空部間に設けられる部分の厚みが、５μｍ以上５０μｍ以下であることを特徴とする、
請求項９，１０，１１，１２又は１３記載の電鋳管。
【請求項１５】
電鋳により細線材の周りに電着物または囲繞物を形成し、電着物または囲繞物から細線材を除去して製造されるコンタクトプローブ用の電鋳管であって、
細線材を電着物または囲繞物から除去して形成される中空部の内形状が断面円形状で、中空部の内径が１０μｍ以上８５μｍ以下であることを特徴とする、
コンタクトプローブ用電鋳管。
【請求項１６】
電鋳により細線材の周りに電着物または囲繞物を形成し、細線材の一方又は両方を引っ張って断面積を小さくなるよう変形させ、細線材と電着物または囲繞物の間に隙間を形成して細線材を引き抜いて、電着物または囲繞物から細線材を除去して製造される電鋳管であって、
細線材を電着物または囲繞物から除去して形成される中空部の内形状が断面円形状を有するものは、中空部の内径が１０μｍ以上８５μｍ以下であり、中空部の内形状が断面多角形状を有するものは、中空部の内接円の直径が１０μｍ以上８５μｍ以下であることを特徴とする、
電鋳管。
【請求項１７】
肉厚が５μｍ以上５０μｍ以下であることを特徴とする、
請求項１５又は１６記載の電鋳管。
【請求項１８】
内面に電着物または囲繞物とは異なる材質の導電層が設けてあることを特徴とする、
請求項１５，１６又は１７記載の電鋳管。
【請求項１９】
内面に電着物または囲繞物とは異なる材質の導電層が設けてあり、更に、電着物または囲繞物と上記導電層との間には、当該導電層とは異なる材質の導電層が設けてあることを特徴とする、
請求項１５，１６又は１７記載の電鋳管。
【請求項２０】
細線材を除去して形成される中空部が複数個あることを特徴とする、
請求項１６，１７，１８又は１９記載の電鋳管。
【請求項２１】
周りに電鋳により電着物または囲繞物を形成し、電着物または囲繞物から除去してコンタクトプローブ用電鋳管を製造するための細線材であって、
外形状が断面円形状を有するもので、外径が１０μｍ以上８５μｍ以下であり、外方に引っ張って伸ばしたときの横ひずみの変形量が断面積の５％以上であることを特徴とする、
コンタクトプローブ用電鋳管を製造するための細線材。
【請求項２２】
周りに電鋳により電着物または囲繞物を形成し、一方又は両方を引っ張って断面積を小さくなるよう変形させ、電着物または囲繞物の間に隙間を形成して引き抜いて、電着物または囲繞物から除去して電鋳管を製造するための細線材であって、
外形状が断面円形状を有するものは、外径が１０μｍ以上８５μｍ以下であり、外形状が断面多角形状を有するものは、内接円の直径が１０μｍ以上８５μｍ以下であり、外方に引っ張って伸ばしたときの横ひずみの変形量が断面積の５％以上であることを特徴とする、
電鋳管を製造するための細線材。
【請求項２３】
外面に、電着物または囲繞物とは異なる材質の導電層が設けてあることを特徴とする、
請求項２１又は２２記載の電鋳管を製造するための細線材。
【請求項２４】
外面に、電着物または囲繞物とは異なる材質の導電層が設けてあり、更に、細線材基部材と上記導電層との間には、当該導電層とは異なる材質の導電層が設けてあることを特徴とする、
請求項２１又は２２記載の電鋳管を製造するための細線材。
【請求項２５】
両端側に導電層が設けられていない部分があることを特徴とする、
請求項２０，２１，２２，２３又は２４記載の電鋳管を製造するための細線材。
【請求項２６】
外形状が断面円形状または断面多角形状に形成してあることを特徴とする、
請求項２０，２１，２２，２３，２４又は２５記載の電鋳管を製造するための細線材。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
【課題を解決するための手段】
上記目的を達成するために講じた本発明の手段は次のとおりである。
第１の発明にあっては、
電鋳により細線材の周りに電着物または囲繞物を形成し、電着物または囲繞物から細線材を除去して電鋳管を製造する方法であって、
細線材は、一方または両方から引っ張って断面積が小さくなるように変形させて、細線材と電着物または囲繞物の間に隙間を形成して、細線材を掴んで引っ張るか、吸引するか、物理的に押し遣るか、気体または液体を噴出して押し遣るかのいずれかの方法を用いて除去することを特徴とする、
電鋳管の製造方法である。
【手続補正５】
【補正対象書類名】明細書
【補正対象項目名】００１２
【補正方法】変更
【補正の内容】
【００１２】
第２の発明にあっては、
細線材に形成される端部側の電着物または囲繞物の量を多くすることを特徴とする、
第１の発明に係る電鋳管の製造方法である。
【手続補正６】
【補正対象書類名】明細書
【補正対象項目名】００１３
【補正方法】変更
【補正の内容】
【００１３】
第３の発明にあっては、
細線材を外方に引っ張って伸ばしたときの横ひずみの変形量が断面積の５％以上であることを特徴とする、
第１の発明に係る電鋳管の製造方法である。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
第４の発明にあっては、
外面に導電層が設けられた細線材を用い、導電層が電鋳管の内面に残るように細線材を除去することを特徴とする、
第１，第２又は第３の発明に係る電鋳管の製造方法である。
【手続補正９】
【補正対象書類名】明細書
【補正対象項目名】００１６
【補正方法】変更
【補正の内容】
【００１６】
第５の発明にあっては、
外面側に材質の異なる導電層が少なくとも二層以上形成してある細線材を用い、電着物または囲繞物と細線材の外側の導電層とを密着させ、内側の導電層が電鋳管の内面に残るように細線材を除去することを特徴とする、
第１，第２又は第３の発明に係る電鋳管の製造方法である。
【手続補正１０】
【補正対象書類名】明細書
【補正対象項目名】００１７
【補正方法】変更
【補正の内容】
【００１７】
第６の発明にあっては、
細線材を電着物または囲繞物から除去して形成される中空部の内形状が、断面円形状または断面多角形状を有することを特徴とする、
第１，第２，第３，第４又は第５の発明に係る電鋳管の製造方法である。
【手続補正１１】
【補正対象書類名】明細書
【補正対象項目名】００１８
【補正方法】変更
【補正の内容】
【００１８】
第７の発明にあっては、
細線材を除去して形成される中空部を複数個備えることを特徴とする、
第１，第２，第３，第４，第５又は第６の発明に係る電鋳管の製造方法である。
【手続補正１２】
【補正対象書類名】明細書
【補正対象項目名】００１９
【補正方法】変更
【補正の内容】
【００１９】
第８の発明にあっては、
中空部の間に、絶縁体の外面に導電層を設けて形成してある隔壁体を介在させて、各中空部の周りを形成する部分ごとに独立して電気伝導ができるようにすることを特徴とする、
第７の発明に係る電鋳管の製造方法である。
【手続補正１３】
【補正対象書類名】明細書
【補正対象項目名】００２０
【補正方法】変更
【補正の内容】
【００２０】
第９の発明にあっては、
電鋳により細線材の周りに電着物または囲繞物を形成し、電着物または囲繞物から細線材を除去して製造される電鋳管であって、
細線材を電着物または囲繞物から除去して形成される中空部の内形状が断面円形状を有するものは、中空部の内径が１０μｍ以上８５μｍ以下であり、中空部の内形状が断面多角形状を有するものは、中空部の内接円の直径が１０μｍ以上８５μｍ以下であり、
細線材を除去して形成される中空部が複数個あり、
中空部の間に、絶縁体の外面に導電層を設けて形成してある隔壁体を介在させて、各中空部の周りを形成する部分ごとに独立して電気伝導ができるように構成してあることを特徴とする、
電鋳管である。
【手続補正１４】
【補正対象書類名】明細書
【補正対象項目名】００２１
【補正方法】変更
【補正の内容】
【００２１】
第１０の発明にあっては、
肉厚が５μｍ以上５０μｍ以下であることを特徴とする、
第９の発明に係る電鋳管である。
【手続補正１５】
【補正対象書類名】明細書
【補正対象項目名】００２２
【補正方法】変更
【補正の内容】
【００２２】
第１１の発明にあっては、
内面に電着物または囲繞物とは異なる材質の導電層が設けてあることを特徴とする、
第９又は第１０の発明に係る電鋳管である。
【手続補正１６】
【補正対象書類名】明細書
【補正対象項目名】００２３
【補正方法】変更
【補正の内容】
【００２３】
第１２の発明にあっては、
内面に電着物または囲繞物とは異なる材質の導電層が設けてあり、更に、電着物または囲繞物と上記導電層との間には、当該導電層とは異なる材質の導電層が設けてあることを特徴とする、
第９又は第１０の発明に係る電鋳管である。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】変更
【補正の内容】
【００２６】
第１３の発明にあっては、
隔壁体の外面に設けてある導電層が、中空部の一部を形成するように構成してあることを特徴とする、
第９，第１０，第１１又は第１２の発明に係る電鋳管である。
【手続補正２０】
【補正対象書類名】明細書
【補正対象項目名】００２７
【補正方法】変更
【補正の内容】
【００２７】
第１４の発明にあっては、
隔壁体は、隣り合う中空部間に設けられる部分の厚みが、５μｍ以上５０μｍ以下であることを特徴とする、
第９，第１０，第１１，第１２又は第１３の発明に係る電鋳管である。
第１５の発明にあっては、
電鋳により細線材の周りに電着物または囲繞物を形成し、電着物または囲繞物から細線材を除去して製造されるコンタクトプローブ用の電鋳管であって、
細線材を電着物または囲繞物から除去して形成される中空部の内形状が断面円形状で、中空部の内径が１０μｍ以上８５μｍ以下であることを特徴とする、
コンタクトプローブ用電鋳管である。
第１６の発明にあっては、
電鋳により細線材の周りに電着物または囲繞物を形成し、細線材の一方又は両方を引っ張って断面積を小さくなるよう変形させ、細線材と電着物または囲繞物の間に隙間を形成して細線材を引き抜いて、電着物または囲繞物から細線材を除去して製造される電鋳管であって、
細線材を電着物または囲繞物から除去して形成される中空部の内形状が断面円形状を有するものは、中空部の内径が１０μｍ以上８５μｍ以下であり、中空部の内形状が断面多角形状を有するものは、中空部の内接円の直径が１０μｍ以上８５μｍ以下であることを特徴とする、
電鋳管である。
第１７の発明にあっては、
肉厚が５μｍ以上５０μｍ以下であることを特徴とする、
第１５又は１６の発明に係る電鋳管である。
第１８の発明にあっては、
内面に電着物または囲繞物とは異なる材質の導電層が設けてあることを特徴とする、
第１５，第１６又は第１７の発明に係る電鋳管。
第１９の発明にあっては、
内面に電着物または囲繞物とは異なる材質の導電層が設けてあり、更に、電着物または囲繞物と上記導電層との間には、当該導電層とは異なる材質の導電層が設けてあることを特徴とする、
第１５，第１６又は第１７の発明に係る電鋳管。
第２０の発明にあっては、
細線材を除去して形成される中空部が複数個あることを特徴とする、
第１６，第１７，第１８又は第１９の発明に係る電鋳管。
【手続補正２１】
【補正対象書類名】明細書
【補正対象項目名】００２８
【補正方法】変更
【補正の内容】
【００２８】
第２１の発明にあっては、
周りに電鋳により電着物または囲繞物を形成し、電着物または囲繞物から除去してコンタクトプローブ用電鋳管を製造するための細線材であって、
外形状が断面円形状で、外径が１０μｍ以上８５μｍ以下であり、外方に引っ張って伸ばしたときの横ひずみの変形量が断面積の５％以上であることを特徴とする、
コンタクトプローブ用電鋳管を製造するための細線材である。
第２２の発明にあっては、
周りに電鋳により電着物または囲繞物を形成し、一方又は両方を引っ張って断面積を小さくなるよう変形させ、電着物または囲繞物の間に隙間を形成して引き抜いて、電着物または囲繞物から除去して電鋳管を製造するための細線材であって、
外形状が断面円形状を有するものは、外径が１０μｍ以上８５μｍ以下であり、外形状が断面多角形状を有するものは、内接円の直径が１０μｍ以上８５μｍ以下であり、外方に引っ張って伸ばしたときの横ひずみの変形量が断面積の５％以上であることを特徴とする、
電鋳管を製造するための細線材である。
【手続補正２２】
【補正対象書類名】明細書
【補正対象項目名】００２９
【補正方法】変更
【補正の内容】
【００２９】
第２３の発明にあっては、
外面に、電着物または囲繞物とは異なる材質の導電層が設けてあることを特徴とする、
第２１又は第２２の発明に係る電鋳管を製造するための細線材である。
【手続補正２３】
【補正対象書類名】明細書
【補正対象項目名】００３０
【補正方法】変更
【補正の内容】
【００３０】
第２４の発明にあっては、
外面に、電着物または囲繞物とは異なる材質の導電層が設けてあり、更に、細線材基部材と上記導電層との間には、当該導電層とは異なる材質の導電層が設けてあることを特徴とする、
第２１又は第２２の発明に係る電鋳管を製造するための細線材である。
【手続補正２４】
【補正対象書類名】明細書
【補正対象項目名】００３１
【補正方法】変更
【補正の内容】
【００３１】
第２５の発明にあっては、
両端側に導電層が設けられていない部分があることを特徴とする、
第２０，第２１，第２２，第２３，又は第２４の発明に係る電鋳管を製造するための細線材である。
【手続補正２５】
【補正対象書類名】明細書
【補正対象項目名】００３２
【補正方法】変更
【補正の内容】
【００３２】
第２６の発明にあっては、
外形状が断面円形状または断面多角形状に形成してあることを特徴とする、
第２０，第２１，第２２，第２３，第２４又は第２５の発明に係る電鋳管を製造するための細線材である。